(57)【特許請求の範囲】
【請求項１】
ヒータを有する焼成室と、前記焼成室内に着脱自在に装着しうるパン焼き型と、前記パン焼き型の内底部に設けられモータにより駆動される練り羽根と、前記焼成室内の温度を検知する温度検知部と、パン焼き制御を行う制御装置と、現在時刻の計時を行う計時手段と、予め出来上がり時刻を記憶する記憶装置と、調理メニューの選択を行うメニューキーと、タイマー調理のために出来上がりの時刻を設定するための時間の単位を増加させる時キーおよび分の単位を増加させる分キーと、調理を開始するスタートキーからなる操作部と、出来上がり時刻および選択されたメニュー等を表示する表示手段とを備え、タイマー調理のための時刻設定を行うとき、現在時刻に選択されたメニューの調理所要時間を加えた最小設定可能時刻から現在時刻に所定の時間を加えた最大設定可能時刻までを設定可能時刻とし、時キーのみの操作により、最大時刻表示が最大設定可能時刻となるように分の桁の変化も可能にすると共に、前記最大設定可能時刻を表示した時に、最大設定時刻であることを表示し、もう一度前記時キーを操作すると食パンを調理するのに必要な時間の最小設定可能時刻になり、前記スタートキーを操作すると、食パンが出来上がるようにタイマー調理がスタートする自動製パン機。
【発明の詳細な説明】
【技術分野】
【０００１】
本発明は一般家庭で使用する自動製パン機に関し、特に予約時刻の設定に関するものである。
【背景技術】
【０００２】
以下に自動製パン機について説明する。
【０００３】
図１１は自動製パン機の模式図である。図において、自動製パン機は、焼成室１、パン焼き型２、練り羽根３、練り羽根３を回転させるモータ４、焼成室１の外周に設けられた焼成のためのヒータ５、操作や調理の状態を使用者に知らせるためブザー等により構成されている報知手段６、焼成室１内の温度を検知する温度検知手段７、温度検知手段７から温度信号を受けてモータ４やヒータ５を制御する制御回路８、調理内容や条件等を設定する操作部９および操作部９内に設けた表示手段１０より構成されている。
【０００４】
以上のように構成された自動製パン機について、以下その予約時間の設定方法について説明する。
【０００５】
図１２は自動製パン機の操作部の変化を示す流れ図である。図１２に示すように、調理メニューを選択し、時キーおよび分キーによりタイマー調理のために時刻設定を行ったとき、設定された時刻が選択されたメニューを調理するのに必要な時間、例えば４時間より早い時刻の場合や、被調理物が腐敗するのを防ぐために、現在時刻に予め定めた所定の時間（例えば、１３時間）を加えた時刻より遅い場合には、スタートキーを操作しても「予約誤り」を表示してスタートできないようにしていたものがあった。
【０００６】
このような予約時刻の設定方式は自動製パン機の初期の製品から使用されてきている。また、自動製パン機以外では炊飯器関係で使用された（例えば、特許文献１参照）。
【特許文献１】特開昭６０−５０４８２号公報
【発明の開示】
【発明が解決しようとする課題】
【０００７】
しかし、このような方法では設定された時刻が選択されたメニューの調理所要時間より早い時刻の場合や、設定された時刻が現在時刻に所定の時間を加えた時刻より遅い場合、せっかく時刻設定したのにスタートキーを操作してもスタートせず、時刻設定をやり直す必要があり、煩わしく使い勝手が悪いという問題があった。また、スタートしないことにより、機器が故障したのではないかと誤認してしまうという問題があった。
【０００８】
本発明は、前記従来の課題を解決するもので、時キーおよび分キーによりタイマー調理のための時刻設定を行うとき、簡単で解りやすい操作で予約時刻を設定できるようにするとともに、機器の故障との誤認識を無くし、使い勝手の良い自動製パン機を提供することを目的とする。
【課題を解決するための手段】
【０００９】
この目的を達成する為に、本発明の自動製パン機は、ヒータを有する焼成室と、前記焼成室内に着脱自在に装着しうるパン焼き型と、前記パン焼き型の内底部に設けられモータにより駆動される練り羽根と、前記焼成室内の温度を検知する温度検知部と、パン焼き制御を行う制御装置と、現在時刻の計時を行う計時手段と、予め出来上がり時刻を記憶する記憶装置と、調理メニューの選択を行うメニューキーと、タイマー調理のために出来上がりの時刻を設定するための時間の単位を増加させる時キーおよび分の単位を増加させる分キーと、調理を開始するスタートキーからなる操作部と、出来上がり時刻および選択されたメニュー等を表示する表示手段とを備え、タイマー調理のための時刻設定を行うとき、現在時刻に選択されたメニューの調理所要時間を加えた最小設定可能時刻から現在時刻に所定の時間を加えた最大設定可能時刻までを設定可能時刻とし、時キーのみの操作により、最大時刻表示が最大設定可能時刻となるように分の桁の変化も可能にすると共に、前記最大設定可能時刻を表示した時に、最大設定時刻であることを表示し、もう一度前記時キーを操作すると食パンを調理するのに必要な時間の最小設定可能時刻になり、前記スタートキーを操作すると、食パンが出来上がるようにタイマー調理がスタートするようにした。
【００１０】
これによって、時キーの後に分キーを操作するという順序だてた操作で常にタイマー予約時刻の設定が可能となる。
【発明の効果】
【００１１】
本発明の自動製パン機は、時キーおよび分キーによりタイマー調理のための時刻設定を行うとき、簡単で解りやすい操作で予約時刻を設定できるようにするとともに、機器の故障との誤認識を無くし、操作性の向上と、利便性の向上を図ることができる。
【発明を実施するための最良の形態】
【００１２】
第１の発明は、ヒータを有する焼成室と、前記焼成室内に着脱自在に装着しうるパン焼き型と、前記パン焼き型の内底部に設けられモータにより駆動される練り羽根と、前記焼成室内の温度を検知する温度検知部と、パン焼き制御を行う制御装置と、現在時刻の計時を行う計時手段と、予め出来上がり時刻を記憶する記憶装置と、調理メニューの選択を行うメニューキーと、タイマー調理のために出来上がりの時刻を設定するための時間の単位を増加させる時キーおよび分の単位を増加させる分キーと、調理を開始するスタートキーからなる操作部と、出来上がり時刻および選択されたメニュー等を表示する表示手段とを備え、タイマー調理のための時刻設定を行うとき、現在時刻に選択されたメニューの調理所要時間を加えた最小設定可能時刻から現在時刻に所定の時間を加えた最大設定可能時刻までを設定可能時刻とし、時キーのみの操作により、最大時刻表示が最大設定可能時刻となるように分の桁の変化も可能にすると共に、前記最大設定可能時刻を表示した時に、最大設定時刻であることを表示し、もう一度前記時キーを操作すると食パンを調理するのに必要な時間の最小設定可能時刻になり、前記スタートキーを操作すると、食パンが出来上がるようにタイマー調理がスタートするようにした。
【００１３】
この構成により、時キーおよび分キーによりタイマー調理のための時刻設定を行う時、設定可能時刻のみを表示するようにしたので、慣れない使用者がタイマー調理を設定してスタート操作をした時に、機器がスタートできないということで不便を感じたり、機器が故障したと誤認識をしたりすることがなく、また時キーにより、最大設定可能時刻を表示するときは分の桁も変化して最大設定可能時刻が表示できるので時キーの操作の後に分キーを操作するという順序だてた操作で希望の時刻に設定できるので操作性が向上するという効果を有する。
【００１４】
また、最大設定可能時刻を表示した時に、最大設定時刻であることを表示部に表示することにより、最大設定可能時刻に達したことを使用者に知らせることができ、これ以上の時刻は設定禁止時刻であり、次に時キーを操作すると最小設定時刻になることを使用者に意識させることができるという効果を有する。
【００１５】
以下本発明の実施の形態について、図面を参照しながら説明する。なお、この実施の形態によって本発明が限定されるものではない。
【００１６】
（参考例１）
図１は本発明の参考例１における自動製パン機の操作部の変化を示す流れ図、図２は同自動製パン機の操作部の平面図、図３は同自動製パン機を説明するための他の方式の自動製パン機の操作部の変化を示す流れ図である。なお、本参考例の基本構成は従来例の構成と同じなので異なる点を中心に説明する。また、従来例と同じ機能には同じ符号を付しその説明は省略する。
【００１７】
本参考例が従来例と異なる点は、従来例では設定した時間が設定可能時刻でないときスタートキーを操作してもスタートしないため、初めから設定をし直さなければならなかっ
たのに対して、本参考例では、調理可能時刻でないときは初めから設定できないようになっている点が大きく異なる。以下、具体的な参考例にもとづいて説明する。
【００１８】
先ず、図２を用いて本参考例に関わる自動製パン機の操作部９の構成について説明する。操作部９は、調理メニューを選択するメニューキー１１、タイマー予約をセットするために予め記憶された予約時間を呼び出してタイマー予約セット状態にする予約キー１２、予約時間の設定で時間の単位を１時間づつ増加させる時キー１３、分の単位を１０分づつ増加させる分キー１４、即時調理ないしタイマー調理をスタートさせるスタートキー１５、調理がスタートしたら点灯する調理ランプ１６、調理を取り消したり設定をクリアーしたりするための取消キー１７、および「現在時刻」の文字が点灯した状態では現在時刻を、「出来上り時刻」の文字が点灯した状態では調理終了時刻やタイマー予約時刻すなわち、タイマーを使用した調理終了時刻を表す時刻表示１８より構成されている。
【００１９】
次に、タイマー使用による調理開始操作について説明する。図２において、まずメニューキー１１で調理メニューを選択し、予約キー１２を押すと記憶装置に予め記憶された時刻が呼び出され、その後、時キー１３、分キー１４で調理終了の望みの時間に予約時刻を設定し、スタートキー１５により調理をスタートする。
【００２０】
ここで、時キー１３および分キー１４により表示される時刻は設定可能時刻のみとなる。設定可能時刻とは現在時刻に選択された調理メニューの調理所要時間を加えた最小設定可能時刻から、現在時刻に所定の時間、例えば１３時間を加えた最大設定可能時刻である。ちなみに、１３時間はタイマー調理をするため、調理材料が腐敗しないために設定可能な最大時間を設定したものである。
【００２１】
図１および図３により具体的な表示状態で説明する。図３の（１）に示すように現在時刻「１９：２５」の時点で、食パンを調理するとき、まずメニューキーで食パンを選択すると、食パンを調理するのに必要な時間が４時間であるので、（２）のように、現在時刻に調理に必要な４時間を加えた「２３：２５」を出来上がり時刻として表示する。次に、予約設定のため予約キー１２を押すと記憶装置に予め記憶された時刻が呼び出される。予め記憶された時間とは、ここでは前回タイマー調理したときに設定した時刻が記憶されている。
【００２２】
予め記憶された時間が「５：４０」であった場合、（３）に示すように「５：４０」が表示され、スタートキーを操作すると、「５：４０」に食パンが出来上がるようにタイマー調理がスタートする。
【００２３】
しかし、調理終了に設定したい時間が「８：２０」であった場合、「５：４０」から時キー１３を操作して時の桁を「８」に合わせようとすると時キー１３は時の桁のみを１時間づつ増加させるようにすると「６：４０」、「７：４０」の次は「８：４０」であるが最大設定可能時刻が「８：２０」なので、これを越えた「８：４０」は表示できず最小設定可能時間である「２３：３０」を表示する。
【００２４】
「８：２０」に設定する場合には、時キー１３の操作を「７：４０」までとし、次に分キー１４を操作して「７：５０」、「７：００」、「７：１０」、「７：２０」とした後、時キー１３を操作して「８：２０」とする必要がある。行き過ぎて「２３：３０」になった場合は、さらに時キー１３を操作して「２４：３０」、「１：３０」、「２：３０」、…「７：３０」とした後、分キー１４を操作して「７：４０」、「７：５０」、「７：００」、「７：１０」、「７：２０」とした後、時キー１３を操作して「８：２０」とする必要がある。
【００２５】
そこで図１に示すように、（４）での時キー１３の操作により、最大設定可能時刻を通過する時だけ分の桁も変化して最大設定可能時刻を表示できるようにすることで、「７：４０」の状態で時キー１３を操作したとき「８：２０」と分の桁を変化させ最大設定可能時刻を表示することにより時キー１３の操作のみで「８：２０」に設定することが可能になり、また、「８：１０」や「８：００」の設定をしたいときも、時キー１３で先に時の桁を合わせた後に、分キー１４で分の桁を合わせることが可能になる。
【００２６】
以上のようにタイマー予約時間の設定において、設定禁止時刻には予約時刻を設定することができず、時キー１３の操作により分の桁が変化し、最大設定可能時刻の表示を可能にすることにより、慣れない使用者がタイマー調理を設定してスタート操作をした時に、機器がスタートできないということで説明書を読み直して設定し直したり、機器が故障したと誤解したりするようなことがなく、時キー１３の操作の後に分キー１４を操作するという順序だてた分かり易い操作で予約時刻の設定が可能となる。
【００２７】
なお、本参考例では予約時間の設定にあたって、時キー１３は１時間づつ、また分キー１４は１０分づつ増加するようにしているが、これに限定されるものではなく、他の時間間隔であっても良い。特に、分キー１４は１０分間隔でなくても、例えば１分間隔であっても、数分間隔であっても良い。ただ時間間隔が短くなると、時間を設定するのに時間がかかる場合が生じる。したがって、実用的には本参考例のように１０分程度が妥当である。なお、このことは以下の参考例においても同様である。
【００２８】
（参考例２）
参考例１の図１の（４）において時キー１３を操作し、最大設定可能時刻を表示した時に報知手段６により報知音を鳴らすことにより、使用者が最大設定可能時刻になったことを知ることができ、もう一度時キー１３を操作すると最小設定可能時刻になるということを意識して操作することができ、使い勝手が向上する。
【００２９】
（参考例３）
参考例１の図１の（４）において時キー１３を操作し、最大設定可能時刻を表示した時に分の桁が変化した場合に図１の報知手段６により報知音を鳴らすことにより、最大設定時刻に達して分の桁が変化したことを使用者に知らせることができ、時キー１３を押したのに分の桁が変化したことを使用者に意識させることができるので使用者の使い勝手が向上する。
【００３０】
（参考例４）
図４は本発明の参考例４における自動製パン機の操作部の変化を示す流れ図である。なお、本参考例の基本構成は参考例１と同じなので異なる点を中心に説明する。また、参考例１と同じ機能には同じ符号を付しその説明は省略する。
【００３１】
図４の（２）において予約キー１２を操作すると、前回タイマー調理を行った時に設定した時刻「２３：３０」が予約時刻として記憶されており、これが（３）で表示される。
【００３２】
１３時間後にタイマー調理を設定したいとき、時キー１３を１回づつ押していくと時間がかかるので時キー１３を押し続ける連続押し操作をすると、０．１秒ごとに連続的に時の桁が増加するようになっている。
【００３３】
本参考例では、この連続押し操作をしたとき、最大設定可能時刻を表示した時に表示を約１秒間一時的に停止することにより、最大設定可能時刻に達したことを使用者に知らせることができ、１３時間後にタイマーを設定したいときは容易にこの時点で時キー１３から手を離し望みの時刻に設定することが可能となる。
【００３４】
また、１３時間後に合わせない場合も、これ以上の時刻は設定禁止時刻であり、そのまま時キー１３を押し続けると最小設定時刻になることを使用者に意識させることができ、操作性が向上する。
【００３５】
（参考例５）
図５は本発明の参考例５における自動製パン機の操作部の変化を示す流れ図である。なお、本参考例の基本構成は参考例１と同じなので異なる点を中心に説明する。また、参考例１と同じ機能には同じ符号を付しその説明は省略する。
【００３６】
図５の（４）において時キー１３を操作し、（５）に示すように最大設定可能時刻を表示した時に表示された時刻を点滅させる。
【００３７】
これにより、使用者が最大設定可能時刻になったことを知ることができ、もう一度時キー１３を操作すると最小設定可能時刻になるということを意識して操作することができ、使い勝手が向上する。
【００３８】
（実施の形態１）
図６は本発明の実施の形態１における自動製パン機の操作部の変化を示す流れ図である。なお、本実施の形態の基本構成は参考例１と同じなので異なる点を中心に説明する。また、参考例１と同じ機能には同じ符号を付しその説明は省略する。
【００３９】
図６の（４）において時キー１３を操作し、（５）に示すように最大設定可能時刻を表示した時に、最大設定時刻であることを「最大時刻」と表示部に表示する。
【００４０】
これにより、使用者が最大設定可能時刻になったことを知ることができ、もう一度時キー１３を操作すると最小設定可能時刻になるということを意識して操作することができ、使い勝手が向上する。また、「最大時刻」という表示を点滅することも使用者の注意を喚起するために有効である。
【００４１】
（参考例６）
図７は本発明の参考例６における自動製パン機の操作部の変化を示す流れ図である。なお、本参考例の基本構成は参考例１と同じなので異なる点を中心に説明する。また、参考例１と同じ機能には同じ符号を付しその説明は省略する。
【００４２】
図７の（４）において予約キー１２を押すと、（５）に示すように「出来上がり１３：００後」と表示し、設定された出来上がり時刻「８；２０」が１３時間後であることが表示される。ここで、時刻設定を１０分毎に行っている場合は、分の桁は１０分の桁に切り上げられるようになっている。
【００４３】
これにより、使用者が出来上がり時刻の設定の操作をしながら、設定した時刻までの現在からの残時間を知ることができ、使い勝手が向上する。
【００４４】
また、もし表示部に余裕がある場合は、他の容易な方法として設定時刻とは別に残時間を常に表示部に表示することも考えられる。
【００４５】
（参考例７）
図８は本発明の参考例７における自動製パン機の操作部の変化を示す流れ図である。なお、本参考例の基本構成は参考例１と同じなので異なる点を中心に説明する。
【００４６】
図８の（４）において時キー１３を多く押し過ぎて目的の設定時刻「８：２０」を過ぎてしまったときに、（５）のように最小設定可能時刻の「２３：３０」となってしまう。時キー１３が増加方向にしか行かない場合は、「８：２０」に合わせたいと思うと、さらに時キー１３を押す操作を繰り返さなければならないが、時キー１３と同時に分キー１４を押すことにより時の桁を減少するようになることにより、目的の「８：２０」に容易に戻すことができる。
【００４７】
このように、キー操作が多すぎて目的の時間を行き過ぎてしまった場合に、容易に目的の時間に戻すことができ、操作性が向上する。
【００４８】
（参考例８）
図９は本発明の参考例８における自動製パン機の操作部の変化を示す流れ図である。なお、本参考例の基本構成は参考例１と同じなので異なる点を中心に説明する。また、参考例１と同じ機能には同じ符号を付しその説明は省略する。
【００４９】
図９の（４）において時キー１３を多く押し過ぎて目的の設定時刻「８：２０」を過ぎてしまったときに、（５）のように最小設定可能時刻の「２３：３０」となってしまう。時キー１３が増加方向にしか行かない場合は、さらに時キー１３を押す操作を繰り返さなければならないが、時キー１３を約１秒以上長く押すことにより時の桁が減少するようになり、目的の「８：２０」に戻すことができる。
【００５０】
さらに、押し続けると約１秒ごとに時の桁が１時間づつ減少するようになる。
【００５１】
分キー１４についても約１秒以上長押しすることにより、分の桁を１０分づつ減少させることができる。
【００５２】
このように、キー操作が多すぎて目的の時間を行き過ぎてしまった場合に、容易に目的の時間に戻すことができ、操作性が向上する。
【００５３】
（参考例９）
図１０は本発明の参考例９における自動製パン機の操作部の変化を示す流れ図である。なお、本参考例の基本構成は参考例１と同じなので異なる点を中心に説明する。また、参考例１と同じ機能には同じ符号を付しその説明は省略する。
【００５４】
図１０の（４）において時キー１３を多く押し過ぎて目的の設定時刻「８：２０」を過ぎてしまったときに、（５）のように最小設定可能時刻の「２３：３０」となってしまう。時キー１３が増加方向にしか行かない場合は、さらに時キー１３を押す操作を繰り返さなければならないが、時キー１３を押すと同時に予約キー１２押すことにより時の桁が減少するようになり、目的の「８：２０」に戻すことができる。
【００５５】
さらに、予約キー１２を押しながら時キー１３を押すごとに時の桁が１時間づつ減少するようになる。
【００５６】
分キー１４についても予約キー１２を押しながら分キー１４を押すことにより、分の桁を１０分づつ減少させることができる。
【００５７】
このように、キー操作が多すぎて目的の時間を行き過ぎてしまった場合に、容易に目的の時間に戻すことができ、操作性が向上する。
【産業上の利用可能性】
【００５８】
以上のように、本発明の自動製パン機は、時キーおよび分キーによりタイマー調理のための時刻設定を行うとき、簡単で解りやすい操作で予約時刻を設定できるようにするとともに、機器の故障との誤認識を無くすことができるので、時キーの操作の後に分キーを操作するという順序だてた操作で予約時刻を設定する自動製パン機等の調理器の用途に適用できる。
【図面の簡単な説明】
【００５９】
【図１】本発明の参考例１における自動製パン機の操作部の変化を示す流れ図
【図２】本発明の参考例１における自動製パン機の操作部の平面図
【図３】本発明の参考例１を説明するための他の方式の自動製パン機の操作部の変化を示す流れ図
【図４】本発明の参考例４における自動製パン機の操作部の変化を示す流れ図
【図５】本発明の参考例５における自動製パン機の操作部の変化を示す流れ図
【図６】本発明の実施の形態１における自動製パン機の操作部の変化を示す流れ図
【図７】本発明の参考例６における自動製パン機の操作部の変化を示す流れ図
【図８】本発明の参考例７における自動製パン機の操作部の変化を示す流れ図
【図９】本発明の参考例８における自動製パン機の操作部の変化を示す流れ図
【図１０】本発明の参考例９における自動製パン機の操作部の変化を示す流れ図
【図１１】自動製パン機の模式図
【図１２】従来の自動製パン機の操作部の変化を示す流れ図
【符号の説明】
【００６０】
１  焼成室
２  パン焼き型
３  練り羽根
４  モータ
５  ヒータ
６  報知手段（報知音）
７  温度検知部
８  制御手段
９  操作部
１０  表示部（表示手段）
１１  メニューキー
１２  予約キー（タイマー調理）
１３  時キー
１４  分キー
１５  スタートキー
【図１】
0004135613.tif 000002
【図２】
0004135613.tif 000003
【図３】
0004135613.tif 000004
【図４】
0004135613.tif 000005
【図５】
0004135613.tif 000006
【図６】
0004135613.tif 000007
【図７】
0004135613.tif 000008
【図８】
0004135613.tif 000009
【図９】
0004135613.tif 000010
【図１０】
0004135613.tif 000011
【図１１】
0004135613.tif 000012
【図１２】
0004135613.tif 000013